(57)【要約】【課題】おやすみ冷房運転時に室内の冷えすぎを防止できる空気調和機を提供する。【解決手段】空気調和機は、おやすみ冷房運転時の第２風量自動モードにおいて、室内温度と目標温度との温度差△ｔに基づいて区切られた複数のゾーンＡ〜Ｊに対応する室内ファン２０の吹出風量が予め設定され、ゾーンＡ〜Ｊのうちの室内温度と目標温度との温度差△ｔに対応するゾーンに設定された吹出風量で室内ファン２０から吹き出すように、室内ファン２０を制御する室内ファン制御部１００ａと、冷房運転時の第２風量自動モードにおいて、室内ファン制御部１００ａにより室内ファン２０を制御するとき、室内温度と目標温度との温度差△ｔが、ゾーンＡ〜Ｊのうちのサーモオフ状態にするゾーンＡに対して１つ手前のゾーンＢ内にあるという状態が第１所定時間Ｔ１続くと、圧縮機１１を停止させてサーモオフ状態にする圧縮機制御部１００ｅを備える。【選択図】図２
2016090115.tif 000002
【特許請求の範囲】
【請求項１】
圧縮機(１１)と室外熱交換器(１３)と減圧機構(１４)と室内熱交換器(１５)が環状に接続された冷媒回路と、
上記室内熱交換器(１５)を介して室内空気を循環させる室内ファン(２０)と、
冷房運転時または暖房運転時の風量自動モードにおいて、室内温度と目標温度との温度差に基づいて区切られた複数のゾーンに対応する上記室内ファン(２０)の吹出風量が予め設定され、上記複数のゾーンのうちの上記室内温度と上記目標温度との温度差に対応するゾーンに設定された上記吹出風量で上記室内ファン(２０)から吹き出すように、上記室内ファン(２０)を制御する室内ファン制御部(１００ａ)と、
冷房運転時または暖房運転時の上記風量自動モードにおいて、上記室内ファン制御部(１００ａ)により上記室内ファン(２０)を制御するとき、上記室内温度と目標温度との温度差が、上記風量自動モードにおける上記複数のゾーンのうちのサーモオフ状態にするゾーンに対して１つ手のゾーン内にあるという状態がサーモオフ判定時間続くと、上記圧縮機(１１)を停止させてサーモオフ状態にする圧縮機制御部(１００ｅ)と
を備えたことを特徴とする空気調和機。
【請求項２】
請求項１に記載の空気調和機において、
上記圧縮機制御部(１００ｅ)は、
上記風量自動モードにおいて上記圧縮機(１１)を停止させてサーモオフ状態にした後も、上記室内温度と目標温度との温度差が上記サーモオフ状態にするゾーンに対して１つ手前のゾーン内にあるという状態がサーモオン判定時間続くと、上記圧縮機(１１)を起動させてサーモオン状態にすることを特徴とする空気調和機。
【請求項３】
請求項１または２に記載の空気調和機において、
冷房運転と暖房運転を含む空調運転時の室内温度の変化に基づいて、冷房運転または暖房運転における熱負荷を推定する熱負荷推定部(１００ｆ)と、
上記サーモオフ判定時間は、上記熱負荷推定部(１００ｆ)により推定された熱負荷に基づいて設定する判定時間設定部(１００ｇ)と
を備えたことを特徴とする空気調和機。
【請求項４】
請求項２に記載の空気調和機において、
冷房運転と暖房運転を含む空調運転時の室内温度の変化に基づいて、冷房運転または暖房運転における熱負荷を推定する熱負荷推定部(１００ｆ) と、
上記サーモオン判定時間は、上記熱負荷推定部(１００ｆ)により推定された熱負荷に基づいて設定する判定時間設定部(１００ｇ)と
を備えたことを特徴とする空気調和機。
【請求項５】
請求項１から４までのいずれか１つに記載の空気調和機において、
上記室内ファン制御部(１００ａ)は、
冷房運転時または暖房運転時において、上記複数のゾーンに対応する上記室内ファン(２０)の吹出風量が予め設定された第１風量パターンを用いた第１風量自動モードと、
上記第１風量自動モードよりも低風量であって、上記複数のゾーンに対応する上記室内ファン(２０)の吹出風量が予め設定された第２風量パターンを用いた第２風量自動モードとを有し、
上記圧縮機制御部(１００ｅ)は、
冷房運転時または暖房運転時の上記第２風量自動モードにおいて、上記室内ファン制御部(１００ａ)により上記室内ファン(２０)を制御するとき、上記室内温度と目標温度との温度差が、上記第２風量自動モードにおける上記複数のゾーンのうちのサーモオフ状態にするゾーンに対して１つ手のゾーン内にあるという状態が上記サーモオフ判定時間続くと、上記圧縮機(１１)を停止させてサーモオフ状態にすることを特徴とする空気調和機。
【発明の詳細な説明】
【技術分野】
【０００１】
この発明は、空気調和機に関する。
【背景技術】
【０００２】
従来、空気調和機としては、おやすみタイマーによる冷房運転時に、圧縮機の運転率に応じて室内ファンの回転数を制御するものがある(例えば、特開平０７−１７４３９５号公報(特許文献１)参照)。上記空気調和機では、就寝中、圧縮機の運転率が高い場合は、室内ファンの風量を上げて寝苦しさを緩和し、圧縮機の運転率が低い場合は、室内ファンの風量を下げて送風で肌寒く感じないようにしている。
【先行技術文献】
【特許文献】
【０００３】
【特許文献１】特開平０７−１７４３９５号公報
【発明の概要】
【発明が解決しようとする課題】
【０００４】
しかしながら、このような構成の空気調和機において、おやすみタイマーによる冷房運転時に、圧縮機の運転率が低いために室内ファンの風量を下げた状態では、室内温度と目標温度との温度差が所定の条件を満たしてサーモオフ状態になるまでに室内が冷えすぎて、快適性が損なわれるという問題がある。また、おやすみ暖房運転においても、おやすみ冷房運転と同様に、サーモオフ状態になるまでに室内を温めすぎて、快適性が損なわれるという問題がある。
【０００５】
そこで、この発明の課題は、おやすみ冷房運転時に室内の冷えすぎを防止できる空気調和機を提供することにある。
【０００６】
また、この発明の課題は、おやすみ暖房運転時に室内の温めすぎを防止できる空気調和機を提供することにある。
【課題を解決するための手段】
【０００７】
上記課題を解決するため、この発明の空気調和機は、
圧縮機と室外熱交換器と減圧機構と室内熱交換器が環状に接続された冷媒回路と、
上記室内熱交換器を介して室内空気を循環させる室内ファンと、
冷房運転時または暖房運転時の風量自動モードにおいて、室内温度と目標温度との温度差に基づいて区切られた複数のゾーンに対応する上記室内ファンの吹出風量が予め設定され、上記複数のゾーンのうちの上記室内温度と上記目標温度との温度差に対応するゾーンに設定された上記吹出風量で上記室内ファンから吹き出すように、上記室内ファンを制御する室内ファン制御部と、
冷房運転時または暖房運転時の上記風量自動モードにおいて、上記室内ファン制御部により上記室内ファンを制御するとき、上記室内温度と上記目標温度との温度差が、上記風量自動モードにおける上記複数のゾーンのうちのサーモオフ状態にするゾーンに対して１つ手前のゾーン内にあるという状態がサーモオフ判定時間続くと、上記圧縮機を停止させてサーモオフ状態にする圧縮機制御部と
を備えたことを特徴とする。
【０００８】
ここで、サーモオフ状態にするゾーンとは、室内温度と目標温度との温度差がそのゾーン内に入ると、すぐにサーモオフ状態にするゾーンのことである。
【０００９】
上記構成によれば、冷房運転時または暖房運転時の風量自動モードにおいて、室内温度と目標温度との温度差に基づいて区切られた複数のゾーンに対応する室内ファンの吹出風量が風量パターンとして予め設定され、複数のゾーンのうちの室内温度と目標温度との温度差に対応するゾーンに設定された吹出風量で室内ファンから吹き出すように、室内ファン制御部により室内ファンを制御する。そして、冷房運転時または暖房運転時の風量自動モードにおいて、室内ファン制御部により室内ファンを制御するとき、室内温度と目標温度との温度差が、風量自動モードにおける複数のゾーンのうちのサーモオフ状態にするゾーンに対して１つ手前のゾーン内にあるという状態がサーモオフ判定時間続くとき、圧縮機制御部により圧縮機を停止させてサーモオフ状態にする。
【００１０】
これにより、冷房運転において、室内温度と目標温度との温度差が所定の条件を満たしてサーモオフ状態になるまでに室内が冷えすぎて、快適性が損なわれることがなく、特に吹出風量を抑えた風量自動モードでのおやすみ冷房運転時に室内の冷えすぎを防止できる。
【００１１】
また、暖房運転において、室内温度と目標温度との温度差が所定の条件を満たしてサーモオフ状態になるまでに室内が温まりすぎて、快適性が損なわれることがなく、特に吹出風量を抑えた風量自動モードでのおやすみ暖房運転時に室内の温めすぎを防止できる。
【００１２】
また、一実施形態の空気調和機では、
上記圧縮機制御部は、
上記風量自動モードにおいて上記圧縮機を停止させてサーモオフ状態にした後も、上記室内温度と上記目標温度との温度差が上記サーモオフ状態にするゾーンに対して１つ手前のゾーン内にあるという状態がサーモオン判定時間続くと、上記圧縮機を起動させてサーモオン状態にする。
【００１３】
上記実施形態によれば、風量自動モードにおいて圧縮機を停止させてサーモオフ状態にした後も同じゾーン内にあるという状態がサーモオン判定時間続くと、圧縮機制御部により圧縮機を起動させてサーモオン状態にするので、冷房運転における室内温度の上昇(または暖房運転における室内温度の下降)が緩やかでもサーモオフ状態からすみやかに復帰させることができる。
【００１４】
また、一実施形態の空気調和機では、
冷房運転と暖房運転を含む空調運転時の室内温度の変化に基づいて、冷房運転または暖房運転における熱負荷を推定する熱負荷推定部と、
上記サーモオフ判定時間は、上記熱負荷推定部により推定された熱負荷に基づいて設定する判定時間設定部と
を備えた。
【００１５】
上記実施形態によれば、冷房運転と暖房運転を含む空調運転時の室内温度の変化に基づいて、熱負荷推定部により冷房運転または暖房運転における熱負荷を推定し、その冷房運転または暖房運転における熱負荷に基づいて、判定時間設定部は、第２風量自動モードにおけるサーモオフ状態にするゾーンに対して１つ手前のゾーンでの判定に用いるサーモオフ判定時間を設定するので、熱負荷が大きいほどサーモオフ判定時間を長くし、熱負荷が小さいほどサーモオフ判定時間を短くすることで、サーモオフ状態にするか否かのゾーン判定を的確に行うことができる。
【００１６】
また、一実施形態の空気調和機では、
冷房運転と暖房運転を含む空調運転時の室内温度の変化に基づいて、冷房運転または暖房運転における熱負荷を推定する熱負荷推定部と、
上記サーモオン判定時間は、上記熱負荷推定部により推定された熱負荷に基づいて設定する判定時間設定部と
を備えた。
【００１７】
上記実施形態によれば、冷房運転と暖房運転を含む空調運転時の室内温度の変化に基づいて、熱負荷推定部により冷房運転または暖房運転における熱負荷を推定し、その冷房運転または暖房運転における熱負荷に基づいて、判定時間設定部は、第２風量自動モードにおけるサーモオフ状態にさせた後も同じ条件のゾーンにあるかを判定するのに用いるサーモオン判定時間を設定するので、熱負荷が大きいほどサーモオン判定時間を長くし、熱負荷が小さいほどサーモオン判定時間を短くすることで、サーモオン状態するか否かのゾーン判定を的確に行うことができる。
【００１８】
また、一実施形態の空気調和機では、
上記室内ファン制御部は、
冷房運転時または暖房運転時において、上記複数のゾーンに対応する上記室内ファンの吹出風量が予め設定された第１風量パターンを用いた第１風量自動モードと、
上記第１風量自動モードよりも低風量であって、上記複数のゾーンに対応する上記室内ファンの吹出風量が予め設定された第２風量パターンを用いた第２風量自動モードとを有し、
上記圧縮機制御部は、
冷房運転時または暖房運転時の上記第２風量自動モードにおいて、上記室内ファン制御部により上記室内ファンを制御するとき、上記室内温度と目標温度との温度差が、上記第２風量自動モードにおける上記複数のゾーンのうちのサーモオフ状態にするゾーンに対して１つ手前のゾーン内にあるという状態が上記サーモオフ判定時間続くと、上記圧縮機を停止させてサーモオフ状態にする。
【００１９】
上記実施形態によれば、冷房運転時または暖房運転時の第１風量自動モードにおいて、室内温度と目標温度との温度差に基づいて区切られた複数のゾーンに対応する室内ファンの吹出風量が第１風量パターンとして予め設定され、複数のゾーンのうちの室内温度と目標温度との温度差に対応するゾーンに設定された吹出風量で室内ファンから吹き出すように、室内ファン制御部により室内ファンを制御する。一方、冷房運転時または暖房運転時の第１風量自動モードよりも低風量の第２風量自動モードにおいて、複数のゾーンに対応する室内ファンの吹出風量が第２風量パターンとして予め設定され、複数のゾーンのうちの室内温度と目標温度との温度差に対応するゾーンに設定された吹出風量で室内ファンから吹き出すように、室内ファン制御部により室内ファンを制御する。例えば、通常の冷房運転(または暖房運転)では第１風量自動モードとし、就寝時の冷房運転(または暖房運転)では第１風量自動モードよりも低風量の第２風量自動モードとすると、第２風量自動モードにおいて、室内ファン制御部により室内ファンを制御するとき、室内温度と目標温度との温度差が、第２風量自動モードにおける複数のゾーンのうちのサーモオフ状態にするゾーンに対して１つ手前のゾーン内にあるという状態がサーモオフ判定時間続くと、圧縮機制御部により圧縮機を停止させてサーモオフ状態にする。
【００２０】
これにより、低風量の第２風量自動モードの冷房運転において、室内温度と目標温度との温度差が所定の条件を満たしてサーモオフ状態になるまでに室内が冷えすぎて、快適性が損なわれることがなく、室内の冷えすぎを防止できる。また、低風量の第２風量自動モードの暖房運転において、室内温度と目標温度との温度差が所定の条件を満たしてサーモオフ状態になるまでに室内が温まりすぎて、快適性が損なわれることがなく、室内の温めすぎを防止できる。
【発明の効果】
【００２１】
以上より明らかなように、この発明によれば、おやすみ冷房運転時に室内の冷えすぎを防止できる空気調和機を実現することができる。
【００２２】
また、この発明によれば、おやすみ暖房運転時に室内の温めすぎを防止できる空気調和機を実現することができる。
【図面の簡単な説明】
【００２３】
【図１】図１はこの発明の第１実施形態の空気調和機の室内機と室外機の冷媒回路の回路図である。
【図２】図２は上記空気調和機の制御ブロック図である。
【図３】図３は上記空気調和機の冷房運転およびおやすみ冷房運転時の風量自動モードのゾーン制御を説明するための図である。
【図４】図４は上記空気調和機のおやすみ冷房運転時のゾーン毎の風量タップを示す表である。
【図５】図５は上記空気調和機の通常の冷房運転時のゾーン毎の風量タップを示す表である。
【図６】図６は上記空気調和機の暖房運転時およびおやすみ暖房運転時の風量自動モードのゾーン制御を説明するための図である。
【図７】図７は上記空気調和機のおやすみ暖房運転時のゾーン毎の風量タップを示す表である。
【図８】図８は上記空気調和機の通常の暖房運転時のゾーン毎の風量タップを示す表である。
【図９】図９はこの発明の第２実施形態の空気調和機の制御ブロック図である。
【発明を実施するための形態】
【００２４】
以下、この発明の空気調和機を図示の実施の形態により詳細に説明する。
【００２５】
〔第１実施形態〕
図１はこの発明の第１実施形態の空気調和機の室内機２およびその室内機２に連絡配管Ｌ１,Ｌ２を介して接続された室外機１の冷媒回路を示している。この実施の形態の空気調和機は、室内機２と室外機１が一対一のペア型の空気調和機である。
【００２６】
この第１実施形態の空気調和機は、図１に示すように、圧縮機１１と、圧縮機１１の吐出側が一端に接続された四路切換弁１２と、四路切換弁１２の他端に一端が接続された室外熱交換器１３と、室外熱交換器１３の他端に一端が接続された減圧機構の一例としての電動膨張弁１４と、電動膨張弁１４の他端に閉鎖弁２１,連絡配管Ｌ１を介して一端が接続された室内熱交換器１５と、室内熱交換器１５の他端に連絡配管Ｌ２,閉鎖弁２２,四路切換弁１２を介して一端が接続され、他端が圧縮機１１の吸入側に接続されたアキュムレータ１６とを備えている。また、上記空気調和機は、室外熱交換器１３に外気を供給する室外ファン１０と、室内熱交換器１５を介して室内空気を循環させる室内ファン２０を備えている。
【００２７】
上記室内熱交換器１５は、連絡配管Ｌ１が一端に接続された補助熱交換器１５ａと、補助熱交換器１５ａの他端が一端に接続され、連絡配管Ｌ２が他端に接続された主熱交換器１５ｂを有する。
【００２８】
上記圧縮機１１,四路切換弁１２,室外熱交換器１３,電動膨張弁１４,室内熱交換器１５およびアキュムレータ１６を環状に接続することで冷媒回路を構成している。
【００２９】
また、上記圧縮機１１,四路切換弁１２,室外熱交換器１３,電動膨張弁１４,アキュムレータ１６,室外ファン１０で室外機１を構成すると共に、室内熱交換器１５,室内ファン２０で室内機２を構成している。
【００３０】
上記室外機１は、室外熱交換器１３の温度を検出する室外熱交換器温度センサＴ１と、外気温度を検出する外気温度センサＴ２と、電動膨張弁１４の蒸発温度を検出する蒸発温度センサＴ３を備えている。
【００３１】
また、上記室内機２は、室内熱交換器１５の温度を検出する室内熱交換器温度センサＴ４と、室内温度を検出する室内温度センサＴ５を備えている。
【００３２】
また、上記空気調和機は、室外熱交換器温度センサＴ１,外気温度センサＴ２,蒸発温度センサＴ３,室内熱交換器温度センサＴ４,室内温度を検出する室内温度センサＴ５からの信号などに基づいて、圧縮機１１,室外ファン１０,室内ファン２０等を制御する制御装置１００を備えている。
【００３３】
図２は上記空気調和機の制御ブロック図を示している。
【００３４】
図２に示すように、制御装置１００は、室外熱交換器温度センサＴ１,外気温度センサＴ２,蒸発温度センサＴ３,室内熱交換器温度センサＴ４,室内温度を検出する室内温度センサＴ５からの信号が入力される。また、制御装置１００に、圧縮機１１と四路切換弁１２と電動膨張弁１４と室外ファン１０と室内ファン２０と表示部３０などを接続している。表示部３０は、室内機２に設けられ、少なくとも運転状態を表示するＬＥＤなどである。
【００３５】
また、制御装置１００は、マイクロコンピュータと入出力回路などからなり、室内ファン２０の風量を制御する室内ファン制御部１００ａと、室内ファン制御部１００ａの第１風量パターンと第２風量パターンを切り換える風量パターン切換部１００ｂと、表示部３０を制御する表示制御部１００ｃと、室内ファン２０からの吹出空気の風向を制御する風向制御部１００ｄと、圧縮機１１の運転周波数を制御する圧縮機制御部１００ｅを有する。この制御装置１００は、室外機１側の室外制御部(図示せず)と室内機２側の室内制御部(図示せず)で構成されている。
【００３６】
上記制御装置１００は、室外熱交換器温度センサＴ１,外気温度センサＴ２,蒸発温度センサＴ３,室内熱交換器温度センサＴ４,室内温度センサＴ５からの信号などに基づいて、圧縮機１１,四路切換弁１２,電動膨張弁１４,室外ファン１０,室内ファン２０などを制御する。
【００３７】
＜冷房運転＞
上記構成の空気調和機において、冷房運転時は、四路切換弁１２を実線の切換え位置に切り換えて、圧縮機１１を起動すると、圧縮機１１から吐出された高温高圧の冷媒が四路切換弁１２を介して室外熱交換器１３に流入する。そして、室外熱交換器１３で凝縮した冷媒は、電動膨張弁１４で減圧された後に室内熱交換器１５(補助熱交換器１５ａおよび主熱交換器１５ｂ)に入る。上記室内熱交換器１５で蒸発した冷媒が四路切換弁１２およびアキュムレータ１６を介して圧縮機１１の吸入側に戻る(冷房サイクル)。こうして、圧縮機１１,室外熱交換器１３,電動膨張弁１４,室内熱交換器１５およびアキュムレータ１６の順に冷媒が循環し、室内ファン２０により蒸発器として機能する室内熱交換器１５を介して室内空気を循環させて室内を冷房する。
【００３８】
＜除湿運転＞
除湿運転時は、冷房運転時と同様に、四路切換弁１２を実線の切換え位置にして、圧縮機１１,室外熱交換器１３,電動膨張弁１４,室内熱交換器１５およびアキュムレータ１６の順に冷媒が循環させる(除湿サイクル)。ここで、室内熱交換器１５は、補助熱交換器１５ａの一部だけが蒸発域となって残りの領域が過熱域となると共に、主熱交換器１５ｂが過熱域となる。
【００３９】
この除湿運転では、室外機１の蒸発温度センサＴ３(図１に示す)により検出された蒸発温度(電動膨張弁１４の下流側)と、室内機２の室内温度センサＴ５により検出された室内温度(室内機２の吸込空気の温度)に基づいて、補助熱交換器１５ａの液冷媒が蒸発する蒸発域の範囲が負荷に応じて変化するように、制御装置１００によって圧縮機１１の運転周波数と電動膨張弁１４の開度を制御する。
【００４０】
＜暖房運転＞
また、暖房運転時、四路切換弁１２を点線の切換え位置に切り換えて、圧縮機１１を起動すると、圧縮機１１から吐出された高温高圧の冷媒が四路切換弁１２を介して室内熱交換器１５(補助熱交換器１５ａおよび主熱交換器１５ｂ)に流入する。そして、上記室内熱交換器１５で凝縮した冷媒は、電動膨張弁１４で減圧された後に室外熱交換器１３に入る。上記室外熱交換器１３で蒸発した冷媒が四路切換弁１２およびアキュムレータ１６を介して圧縮機１１の吸入側に戻る(暖房サイクル)。こうして、上記圧縮機１１,室内熱交換器１５,電動膨張弁１４,室外熱交換器１３およびアキュムレータ１６で構成された冷媒回路を冷媒が循環し、凝縮器として機能する室内熱交換器１５を介して室内ファン２０により室内空気を循環させて室内を暖房する。
【００４１】
上記空気調和機は、リモートコントローラ(図示せず)によって、冷房運転、除湿運転および暖房運転などのいずれかの運転モードを選択して運転開始操作を行ったり、運転切換操作や運転停止操作を行ったりすることができる。また、リモートコントローラでは、室内温度の設定温度を設定したり、室内ファン２０の回転数を変化させて室内機２の吹出風量を変更したりできる。
【００４２】
＜冷房運転およびおやすみ冷房運転時の風量自動モード＞
図３は上記空気調和機の冷房運転およびおやすみ冷房運転時の風量自動モードのゾーン制御を説明するための図である。
【００４３】
図３において、冷房運転およびおやすみ冷房運転の△ｔ(＝室内温度−目標温度)の下降時と上昇時において、△ｔに応じたゾーンＡ〜Ｊが以下のとおり設定されている。
【００４４】
（△ｔの下降時）
△ｔ  ≧  ２．５℃  ：  Ｊ
２．５℃  ＞  △ｔ  ≧  ２．０℃  ：  Ｉ
２．０℃  ＞  △ｔ  ≧  １．５℃  ：  Ｈ
１．５℃  ＞  △ｔ  ≧  １．０℃  ：  Ｇ
１．０℃  ＞  △ｔ  ≧  ０．５℃  ：  Ｆ
０．５℃  ＞  △ｔ  ≧      ０℃  ：  Ｅ
０℃  ＞  △ｔ  ≧−０．５℃  ：  Ｄ
−０．５℃  ＞  △ｔ  ≧−１．０℃  ：  Ｃ
−１．０℃  ＞  △ｔ  ≧−１．５℃  ：  Ｂ
−１．５℃  ＞  △ｔ                ：  Ａ
（△ｔの上昇時）
△ｔ  ≧  ３．０℃  ：  Ｊ
３．０℃  ＞  △ｔ  ≧  ２．５℃  ：  Ｉ
２．５℃  ＞  △ｔ  ≧  ２．０℃  ：  Ｈ
２．０℃  ＞  △ｔ  ≧  １．５℃  ：  Ｇ
１．５℃  ＞  △ｔ  ≧  １．０℃  ：  Ｆ
１．０℃  ＞  △ｔ  ≧  ０．５℃  ：  Ｅ
０．５℃  ＞  △ｔ  ≧      ０℃  ：  Ｄ
０℃  ＞  △ｔ  ≧−０．５℃  ：  Ｃ
−０．５℃  ＞  △ｔ  ≧−１．５℃  ：  Ｂ
−１．５℃  ＞  △ｔ                ：  Ａ
【００４５】
また、図４は上記空気調和機のおやすみ冷房運転時のゾーンＡ〜Ｊ毎のタップ(室内ファン回転数)を示しており、図５は上記空気調和機の通常の冷房運転時のゾーンＡ〜Ｊ毎のタップ(室内ファン回転数)を示している。ここで、上記空気調和機には、ＭＨタップ,Ｍタップ,ＭＬタップ,Ｌタップ,Ｓタップの５つのタップが次のように風量の大きい順に設けられている。
ＭＨタップの風量 ＞ Ｍタップの風量＞ ＭＬタップの風量＞ Ｌタップの風量＞ Ｓタップの風量
【００４６】
図４に示すように、おやすみ冷房運転時の下降時は、Ｍタップ,ＭＬタップ,Ｌタップ,Ｓタップの順に吹出風量が少なくなる一方、おやすみ冷房運転時の上昇時は、Ｓタップ,Ｌタップ,ＭＬタップ,Ｍタップの順に吹出風量が多くなる。
【００４７】
このおやすみ冷房運転時の下降時の△ｔ(＝室内温度−目標温度)がゾーンＪ,Ｉ,ＨではＭタップ、ゾーンＧ,ＦではＭＬタップ、ゾーンＥ,ＤではＬタップ、ゾーンＣ,ＢではＳタップとなっており、△ｔがゾーンＡではサーモオフ状態になる(サーモオフ判定値は−１．５℃)。
【００４８】
また、おやすみ冷房運転時の上昇時の△ｔ(＝室内温度−目標温度)がゾーンＪ,ＩではＭタップ、ゾーンＨ,ＧではＭＬタップ、ゾーンＦ,ＥではＬタップ、ゾーンＤ,ＣではＳタップとなっており、△ｔがゾーンＢ,Ａではサーモオフ状態になる。
【００４９】
また、図５に示すように、冷房運転時の下降時は、ＭＨタップ,Ｍタップ,ＭＬタップ,Ｌタップの順に吹出風量が少なくなる一方、冷房運転時の上昇時は、Ｌタップ,ＭＬタップ,Ｍタップ,ＭＨタップの順に吹出風量が多くなる。
【００５０】
この冷房運転時の下降時の△ｔ(＝室内温度−目標温度)がゾーンＪ,ＩではＭＨタップ、ゾーンＨ,ＧではＭタップ、ゾーンＦ,Ｅ,Ｄ,ＣではＭＬタップ、ゾーンＢではＬタップとなっており、△ｔがゾーンＡではサーモオフ状態になる。
【００５１】
また、冷房運転時の上昇時の△ｔ(＝室内温度−目標温度)がゾーンＪではＭＨタップ、ゾーンＩ,ＨではＭタップ、ゾーンＧ,Ｆ,Ｅ,ＤではＭＬタップ、ゾーンＣではＬタップとなっており、△ｔがゾーンＢ,Ａではサーモオフ状態になる。
【００５２】
この図５に示す下降時および上昇時のゾーン毎のタップに示す吹出風量のパターンが、冷房運転時の第１風量自動モードにおける第１風量パターンである。また、図４に示す下降時および上昇時のゾーン毎のタップに示す吹出風量のパターンが、おやすみ冷房運転時の第２風量自動モードにおける第２風量パターンである。
【００５３】
上記構成の空気調和機によれば、冷房運転時の第１風量自動モードにおいて、制御装置１００の風量パターン切換部１００ｂによって、室内ファン制御部１００ａの図５に示す第１風量パターンに切り換えて、室内ファン制御部１００ａは、室内温度と目標温度に基づいて室内ファン２０の風量を第１風量パターンで制御する。一方、おやすみ冷房運転時の第２風量自動モードにおいて、風量パターン切換部１００ｂによって、室内ファン制御部１００ａの図４に示す第２風量パターンに切り換えて、室内ファン制御部１００ａは、室内温度と目標温度に基づいて室内ファン２０の風量を第２風量パターンで制御する。
【００５４】
このように、通常時の冷房運転では第１風量自動モードとし、就寝時のおやすみ冷房運転では第１風量パターンよりも低風量の第２風量パターンの第２風量自動モードとすることで、おやすみ運転時の風量自動におけるファン送風音を低減することができる。
【００５５】
ここで、第１風量パターンよりも低風量の第２風量パターンは、複数のゾーンＡ〜Ｊにおけるタップのうちの少なくとも一部が第１風量パターンよりも低風量の第２風量パターンであればよい。
【００５６】
なお、第２風量自動モードは、就寝時のおやすみ冷房運転に限らず、ユーザーが同様の空気調和を希望する状況で行うようにしてもよく、例えば後述するおやすみ暖房運転や、除湿冷房運転,加湿暖房運転などにおいて第２風量自動モードとしてもよい。
【００５７】
また、上記第１風量パターンおよび第２風量パターンは、階段状に設定された複数のタップを用いたが、所定の条件に基づいて連続的に風量が変化する風量パターンでもよい。
【００５８】
また、冷房運転時に室内温度と目標温度に基づいて風量を制御する第１,第２風量自動モードで室内温度が低下するとサーモオフ状態(圧縮機１１を停止)になる空気調和機の構成では、おやすみ冷房運転時の第２風量自動モードにおける第２風量パターンの最小風量(Ｓタップ)を第１風量パターンの最小風量(Ｌタップ)よりも小さくすることによって、第２風量自動モードでサーモオフ状態になりにくくして、第１風量パターンの最小風量(Ｌタップ)よりも小さい最小風量(Ｓタップ)でのサーモオン状態をより長く持続させることが可能になり、快適性が向上する。
【００５９】
上記おやすみ冷房運転の第２風量自動モードでサーモオフしにくくすることで、最小風量(Ｓタップ)で室内ファン２０の送風を維持している期間は、室内温度の変化を少なくできると共に室内ファン２０の送風音を一定にできる。
【００６０】
また、上記おやすみ冷房運転時の第２風量自動モードにおける第２風量パターンの最大風量(Ｍタップ)を第１風量パターンの最大風量(ＭＨタップ)よりも小さくすることによって、第２風量自動モードにおいて最大風量が必要なときも室内ファン２０の送風音を低減できる。
【００６１】
また、通常の冷房運転の第１風量自動モードにおいて最大風量(ＭＨタップ)で送風している状態からおやすみ冷房運転の第２風量自動モードに切り換えたとき、第２風量自動モードの最大風量(Ｍタップ)で送風しても室内ファン２０の送風音が下がって、第２風量自動モードになったことが分かるので、おやすみ冷房運転に切り換わったことが送風音でも分かり、ユーザーに違和感を与えないようにできる。
【００６２】
＜暖房運転およびおやすみ暖房運転時の風量自動モード＞
図６は上記空気調和機の暖房運転時およびおやすみ暖房運転時の風量自動モードのゾーン制御を説明するための図である。図６において、暖房運転およびおやすみ暖房運転の室内熱交換器温度ｔＥの下降時と上昇時において、それぞれ室内熱交換器温度毎に以下のとおりゾーンＩ〜VIIが設定されている。
（室内熱交換器温度ｔＥの上昇時）
３０℃  ＞  ｔＥ              ：  Ｉ
３５℃  ＞  ｔＥ  ≧  ３０℃  ：  II
４０℃  ＞  ｔＥ  ≧  ３５℃  ：  III
４５℃  ＞  ｔＥ  ≧  ４０℃  ：  IV
５０℃  ＞  ｔＥ  ≧  ４５℃  ：  Ｖ
５５℃  ＞  ｔＥ  ≧  ５０℃  ：  VI
ｔＥ  ≧  ５５℃  ：  VII
（室内熱交換器温度ｔＥの下降時）
２５℃  ＞  ｔＥ              ：  Ｉ
３０℃  ＞  ｔＥ  ≧  ２５℃  ：  II
３５℃  ＞  ｔＥ  ≧  ３０℃  ：  III
４０℃  ＞  ｔＥ  ≧  ３５℃  ：  IV
４５℃  ＞  ｔＥ  ≧  ４０℃  ：  Ｖ
５０℃  ＞  ｔＥ  ≧  ４５℃  ：  VI
ｔＥ  ≧  ５０℃  ：  VII
【００６３】
なお、暖房運転およびおやすみ暖房運転の△ｔ(＝室内温度−目標温度)に応じたゾーンＡ〜Ｌが以下のとおり設定されている。
（△ｔの上昇時）
△ｔ  ≧  ２．０℃  ：  Ａ
２．０℃  ＞  △ｔ  ≧  １．５℃  ：  Ｂ
１．５℃  ＞  △ｔ  ≧  １．０℃  ：  Ｃ
１．０℃  ＞  △ｔ  ≧  ０．５℃  ：  Ｄ
０．５℃  ＞  △ｔ  ≧      ０℃  ：  Ｅ
０℃  ＞  △ｔ  ≧−０．５℃  ：  Ｆ
−０．５℃  ＞  △ｔ  ≧−１．０℃  ：  Ｇ
−１．０℃  ＞  △ｔ  ≧−１．５℃  ：  Ｈ
−１．５℃  ＞  △ｔ  ≧−２．０℃  ：  Ｉ
−２．０℃  ＞  △ｔ  ≧−２．５℃  ：  Ｊ
−２．５℃  ＞  △ｔ  ≧−３．０℃  ：  Ｋ
−３．０℃  ＞  △ｔ                ：  Ｌ
（△ｔの下降時）
△ｔ  ≧  ２．０℃  ：  Ａ
２．０℃  ＞  △ｔ  ≧  １．０℃  ：  Ｂ
１．０℃  ＞  △ｔ  ≧  ０．５℃  ：  Ｃ
０．５℃  ＞  △ｔ  ≧      ０℃  ：  Ｄ
０℃  ＞  △ｔ  ≧−０．５℃  ：  Ｅ
−０．５℃  ＞  △ｔ  ≧−１．０℃  ：  Ｆ
−１．０℃  ＞  △ｔ  ≧−１．５℃  ：  Ｇ
−１．５℃  ＞  △ｔ  ≧−２．０℃  ：  Ｈ
−２．０℃  ＞  △ｔ  ≧−２．５℃  ：  Ｉ
−２．５℃  ＞  △ｔ  ≧−３．０℃  ：  Ｊ
−３．０℃  ＞  △ｔ  ≧−３．５℃  ：  Ｋ
−３．５℃  ＞  △ｔ                ：  Ｌ
【００６４】
図７は上記空気調和機のおやすみ暖房運転時のゾーンＡ〜Ｌ毎の風量タップを示しており、図８は上記空気調和機の通常の暖房運転時のゾーンＡ〜Ｌ毎の風量タップを示している。ここで、上記空気調和機では、図３に示す冷房運転およびおやすみ冷房運転時の風量自動モードのゾーン制御におけるゾーンＡ〜Ｌ毎かつ室内熱交換器温度のゾーンＩ〜VII毎に、ＭＨタップ,Ｍタップ,ＭＬタップ,Ｌタップ,Ｓタップのいずれかのタップが設けられている。
【００６５】
図７に示すように、例えば、室内熱交換器温度ゾーンIVにおいて、おやすみ暖房運転の△ｔの上昇時は、Ｍタップ,ＭＬタップ,Ｌタップ,Ｓタップの順に吹出風量が少なくなる一方、おやすみ暖房運転時の△ｔの下降時は、Ｓタップ,Ｌタップ,ＭＬタップ,Ｍタップの順に吹出風量が多くなる。
【００６６】
このおやすみ暖房運転の△ｔの上昇時および下降時、△ｔ(＝室内温度−目標温度)がゾーンＬ,Ｋ,Ｊ,Ｉ,Ｈ,ＧではＭタップ、ゾーンＦ,ＥではＭＬタップ、ゾーンＤではＬタップ、ゾーンＣ,Ｂ,ＡではＳタップとなっており、△ｔがゾーンＡよりも高いときはサーモオフ状態になる。
【００６７】
また、図８に示すように、例えば、室内熱交換器温度ゾーンIVにおいて、暖房運転の△ｔの上昇時は、Ｍタップ,ＭＬタップ,Ｌタップ,Ｓタップの順に吹出風量が少なくなる一方、暖房運転時の△ｔの下降時は、Ｓタップ,Ｌタップ,ＭＬタップ,Ｍタップの順に吹出風量が多くなる。
【００６８】
この暖房運転の△ｔの上昇時および下降時、△ｔ(＝室内温度−目標温度)がゾーンＬ,Ｋ,Ｊ,ＩではＭＨタップ、ゾーンＨ,ＧではＭタップ、ゾーンＦＥではＭＬタップ、ゾーンＤ,Ｃ,Ｂ,ＡではＬタップとなっており、△ｔがゾーンＡよりも高いときはサーモオフ状態になる。
【００６９】
なお、おやすみ暖房運転および暖房運転において、室内熱交換器温度のゾーンIVに対してゾーンＶ,VI,VIIと高くなるほど、△ｔのゾーンＡ〜Ｌにおけるタップのうちの少なくとも一部が高くなる一方、室内熱交換器温度のゾーンIVに対してゾーンIII,II,Ｉと低くなるほど、△ｔのゾーンＡ〜Ｌにおけるタップのうちの少なくとも一部が低くなっている。
【００７０】
この図８に示す吹出風量のパターンが、暖房運転時の第１風量自動モードにおける第１風量パターンである。また、図７に示す吹出風量のパターンが、おやすみ暖房運転時の第２風量自動モードにおける第２風量パターンである。
【００７１】
上記空気調和機では、暖房運転時の第１風量自動モードにおいて、制御装置１００の風量パターン切換部１００ｂによって、室内ファン制御部１００ａの図８に示す第１風量パターンに切り換えて、室内ファン制御部１００ａは、室内温度と目標温度に基づいて室内ファン２０の風量を第１風量パターンで制御する。一方、おやすみ暖房運転時の第２風量自動モードにおいて、風量パターン切換部１００ｂによって、室内ファン制御部１００ａの図７に示す第２風量パターンに切り換えて、室内ファン制御部１００ａは、室内温度と目標温度に基づいて室内ファン２０の風量を第２風量パターンで制御する。
【００７２】
このように、通常時の暖房運転では第１風量自動モードとし、就寝時のおやすみ暖房運転では第１風量パターンよりも低風量の第２風量パターンの第２風量自動モードとすることで、おやすみ運転時の風量自動におけるファン送風音を低減することができる。
【００７３】
ここで、第１風量パターンよりも低風量の第２風量パターンとは、複数のゾーンＡ〜Ｌにおけるタップのうちの少なくとも一部が第１風量パターンよりも低風量の第２風量パターンであればよい。
【００７４】
また、上記第１風量パターンおよび第２風量パターンは、階段状に設定された複数のタップを用いたが、所定の条件に基づいて連続的に風量が変化する風量パターンでもよい。
【００７５】
また、暖房運転時に室内温度と目標温度に基づいて風量を制御する第１,第２風量自動モードで室内温度が高くなるとサーモオフ状態(圧縮機１１を停止)になる空気調和機の構成では、室内熱交換器温度のゾーンIV,III,IIにおいて、おやすみ暖房運転時の第２風量自動モードにおける第２風量パターンの最小風量(Ｓタップ)を第１風量パターンの最小風量(Ｌタップ)よりも小さくすることによって、第２風量自動モードでサーモオフ状態になりにくくして、第１風量パターンの最小風量(Ｌタップ)よりも小さい最小風量(Ｓタップ)でのサーモオン状態をより長く持続させることが可能になり、快適性が向上する。
【００７６】
上記おやすみ暖房運転の第２風量自動モードでサーモオフしにくくすることで、最小風量(Ｓタップ)で室内ファン２０の送風を維持している期間は、室内温度の変化を少なくできると共に室内ファン２０の送風音を一定にできる。
【００７７】
また、上記室内熱交換器温度のゾーンIV,III,IIにおいて、おやすみ暖房運転時の第２風量自動モードにおける第２風量パターンの最大風量(Ｍタップ)を第１風量パターンの最大風量(ＭＨタップ)よりも小さくすることによって、第２風量自動モードにおいて最大風量が必要なときも室内ファン２０の送風音を低減できる。
【００７８】
また、通常の暖房運転の第１風量自動モードにおいて最大風量(ＭＨタップ)で送風している状態からおやすみ暖房運転の第２風量自動モードに切り換えたとき、第２風量自動モードの最大風量(Ｍタップ)で送風しても室内ファン２０の送風音が下がって、第２風量自動モードになったことが分かるので、おやすみ暖房運転に切り換わったことが送風音でも分かり、ユーザーに違和感を与えないようにできる。
【００７９】
また、上記室内ファン制御部１００ａが第２風量パターンで室内ファン２０の風量を制御しているとき、表示制御部１００ｃにより表示部３０の輝度を第１風量パターンで室内ファン２０の風量を制御しているときの輝度よりも下げることによって、おやすみ冷房運転やおやすみ暖房運転の第２風量自動モードで行われているときに、表示部３０の明かりがユーザーの眠りを妨げないようにできる。
【００８０】
上記空気調和機によれば、冷房運転時の第１風量自動モードにおいて、室内温度と目標温度との温度差に基づいて区切られた複数のゾーンＡ〜Ｊ(図３に示す)に対応する室内ファン２０の吹出風量(図５に示す)が第１風量パターンとして予め設定され、複数のゾーンＡ〜Ｊのうちの室内温度と目標温度との温度差に対応するゾーンに設定された吹出風量で室内ファン２０から吹き出すように、室内ファン制御部１００ａにより室内ファン２０を制御する。一方、冷房運転時の第１風量自動モードよりも低風量の第２風量自動モードにおいて、複数のゾーンＡ〜Ｊ(図３に示す)に対応する室内ファン２０の吹出風量が第２風量パターン(図４に示す)として予め設定され、複数のゾーンＡ〜Ｊのうちの室内温度と目標温度との温度差に対応するゾーンに設定された吹出風量で室内ファン２０から吹き出すように、室内ファン制御部１００ａにより室内ファン２０を制御する。
【００８１】
通常の冷房運転では第１風量自動モードとし、就寝時のおやすみ冷房運転では第１風量自動モードよりも低風量の第２風量自動モードとすると、第２風量自動モードにおいて、室内ファン制御部１００ａにより室内ファン２０を制御するとき、室内温度と目標温度との温度差△ｔが、第２風量自動モードにおける複数のゾーンＡ〜Ｊのうちのサーモオフ状態にするゾーンＡの１つ手前のゾーンＢにあるという状態がサーモオフ判定時間Ｔ１(この実施の形態では１０分間)続くと、圧縮機制御部１００ｅにより圧縮機１１を停止させてサーモオフ状態にする。
【００８２】
これにより、おやすみ冷房運転において、室内温度と目標温度との温度差が所定の条件を満たしてサーモオフ状態になるまでに室内が冷えすぎて、快適性が損なわれることがなく、おやすみ冷房運転時に室内の冷えすぎを防止できる。
【００８３】
また、おやすみ冷房運転時の第２風量自動モードにおいて圧縮機１１を停止させて強制的にサーモオフ状態にした後も、△ｔが同じ条件のゾーンＢ内にあるという状態がサーモオン判定時間Ｔ２(この実施の形態では１０分間)続くと、圧縮機制御部１００ｅにより圧縮機１１を起動させてサーモオン状態にするので、室内温度の上昇が緩やかでもサーモオフ状態からすみやかに復帰させることができる。なお、サーモオン判定時間Ｔ２内に室内温度と目標温度との温度差がゾーンＣに移行したときは、すみやかにサーモオン状態にする。
【００８４】
また、暖房運転時の第１風量自動モードにおいて、室内温度と目標温度との温度差△ｔと室内熱交換器温度に基づいて区切られた複数のゾーンＡ〜Ｌ(図８に示す)に対応する室内ファン２０の吹出風量(図８に示す)が第１風量パターンとして予め設定され、複数のゾーンＡ〜Ｌのうちの室内温度と目標温度との温度差△ｔに対応するゾーンに設定された吹出風量で室内ファン２０から吹き出すように、室内ファン制御部１００ａにより室内ファン２０を制御する。一方、暖房運転時の第１風量自動モードよりも低風量の第２風量自動モードにおいて、複数のゾーンＡ〜Ｌ(図７に示す)に対応する室内ファン２０の吹出風量が第２風量パターン(図７に示す)として予め設定され、複数のゾーンＡ〜Ｌのうちの室内温度と目標温度との温度差△ｔに対応するゾーンに設定された吹出風量で室内ファン２０から吹き出すように、室内ファン制御部１００ａにより室内ファン２０を制御する。
【００８５】
通常の暖房運転では第１風量自動モードとし、就寝時のおやすみ暖房運転では第１風量自動モードよりも低風量の第２風量自動モードとすると、第２風量自動モードにおいて、室内ファン制御部１００ａにより室内ファン２０を制御するとき、室内温度と目標温度との温度差△ｔが、第２風量自動モードにおける複数のゾーンＡ〜Ｌのうちのサーモオフ状態にするゾーンに対して１つ手前のゾーンＡ内にあるという状態がサーモオフ判定時間Ｔ１(この実施の形態では１０分間)続くと、圧縮機制御部１００ｅにより圧縮機１１を停止させてサーモオフ状態にする。
【００８６】
これにより、おやすみ暖房運転において、室内温度と目標温度との温度差が所定の条件を満たしてサーモオフ状態になるまでに室内が温まりすぎて、快適性が損なわれることがなく、おやすみ暖房運転時に室内の温めすぎを防止できる。
【００８７】
また、上記おやすみ暖房運転時の第２風量自動モードにおいて圧縮機１１を停止させて強制的にサーモオフ状態にした後も、室内温度と目標温度との温度差△ｔが同じ条件のゾーンＡ内にあるという状態がサーモオン判定時間Ｔ２(この実施の形態では１０分間)続くと、圧縮機制御部１００ｅにより圧縮機１１を起動させてサーモオン状態にするので、室内温度の下降が緩やかでもサーモオフ状態からすみやかに復帰させることができる。なお、サーモオン判定時間Ｔ２内に室内温度と目標温度との温度差がゾーンＢに移行したときは、すみやかにサーモオン状態にする。
【００８８】
上記第１実施形態では、サーモオフ判定時間Ｔ１およびサーモオン判定時間Ｔ２をそれぞれ１０分間としたが、サーモオフ判定時間Ｔ１およびサーモオン判定時間Ｔ２は、冷媒回路の構成などに応じて適宜設定すればよく、サーモオフ判定時間Ｔ１とサーモオン判定時間Ｔ２に異なる値を設定してもよい。
【００８９】
〔第２実施形態〕
図９はこの発明の第２実施形態の空気調和機の制御ブロック図を示している。この第２実施形態の空気調和機は、制御装置１００の熱負荷推定部１００ｆと判定時間設定部１００ｇを除いて第１実施形態の空気調和機と同一の構成をしており、同一構成部には同一参照番号を付している。
【００９０】
図９に示すように、制御装置１００は、マイクロコンピュータと入出力回路などからなり、室内ファン２０の風量を制御する室内ファン制御部１００ａと、室内ファン制御部１００ａの第１風量パターンと第２風量パターンを切り換える風量パターン切換部１００ｂと、表示部３０を制御する表示制御部１００ｃと、室内ファン２０からの吹出空気の風向を制御する風向制御部１００ｄと、圧縮機１１の運転周波数を制御する圧縮機制御部１００ｅと、冷房運転または暖房運転における熱負荷を推定する熱負荷推定部１００ｆと、サーモオフ判定時間Ｔ１とサーモオン判定時間Ｔ２を設定する判定時間設定部１００ｇを有する。
【００９１】
上記構成の空気調和機において、熱負荷推定部１００ｆは、冷房運転と暖房運転を含む空調運転時の室内温度の変化に基づいて、冷房運転と暖房運転における熱負荷を推定する。ここで、冷房運転と暖房運転を含む空調運転には、冷房運転や暖房運転以外に、おやすみ冷房運転、おやすみ暖房運転、除湿冷房運転、加湿暖房運転などがある。
【００９２】
この熱負荷推定部１００ｆにより推定された冷房運転または暖房運転における熱負荷に基づいて、判定時間設定部１００ｇは、おやすみ冷房運転やおやすみ暖房運転の第２風量自動モードにおけるサーモオフ状態にするゾーンに対して１つ手前のゾーンでの判定に用いるサーモオフ判定時間Ｔ１を設定する。これにより、熱負荷が大きいほどサーモオフ判定時間Ｔ１を長くし、熱負荷が小さいほどサーモオフ判定時間Ｔ１を短くすることで、サーモオフ状態にするか否かのゾーン判定を的確に行うことができる。
【００９３】
また、上記熱負荷推定部１００ｆにより推定された冷房運転と暖房運転における熱負荷に基づいて、判定時間設定部１００ｇは、第２風量自動モードにおけるサーモオフ状態にさせた後も同じ条件のゾーンにあるかの判定に用いるサーモオン判定時間Ｔ２を設定する。これにより、熱負荷が大きいほどサーモオン判定時間Ｔ２を長くし、熱負荷が小さいほどサーモオン判定時間Ｔ２を短くすることで、サーモオン状態するか否かのゾーン判定を的確に行うことができる。
【００９４】
ここで、熱負荷推定部１００ｆは、事前に行った冷房運転や暖房運転のときの室内温度の変化に基づいて熱負荷を推定してもよいし、複数回の推定結果を学習することにより熱負荷を決定してもよい。
【００９５】
上記第１,第２実施形態では、冷房運転、除湿運転および暖房運転を行う空気調和機について説明したが、この発明は、少なくとも冷房運転を行う空気調和機に適用することができる。また、加湿機能を備えた空気調和機にこの発明を適用してもよい。
【００９６】
この発明の具体的な実施の形態について説明したが、この発明は上記第１,第２実施形態に限定されるものではなく、この発明の範囲内で種々変更して実施することができる。
【符号の説明】
【００９７】
１…室外機
２…室内機
１０…室外ファン
１１…圧縮機
１２…四路切換弁
１３…室外熱交換器
１４…電動膨張弁
１５…室内熱交換器
１５ａ…補助熱交換器
１５ｂ…主熱交換器
１６…アキュムレータ
２０…室内ファン
２１…閉鎖弁
２２…閉鎖弁
Ｌ１,Ｌ２…連絡配管
Ｔ１…室外熱交換器温度センサ
Ｔ２…外気温度センサ
Ｔ３…蒸発温度センサ
Ｔ４…室内熱交換器温度センサ
Ｔ５…室内温度センサ
１００…制御装置
１００ａ…室内ファン制御部
１００ｂ…風量パターン切換部
１００ｃ…表示制御部
１００ｄ…風向制御部
１００ｅ…圧縮機制御部
１００ｆ…熱負荷推定部
１００ｇ…判定時間設定部
【図１】
2016090115.tif 000003
【図２】
2016090115.tif 000004
【図３】
2016090115.tif 000005
【図４】
2016090115.tif 000006
【図５】
2016090115.tif 000007
【図６】
2016090115.tif 000008
【図７】
2016090115.tif 000009
【図８】
2016090115.tif 000010
【図９】
2016090115.tif 000011